(57)【要約】【課題】本発明は、手元の動きをセンサによって検出し、使用者の身長に合った高さ調整可能な男子用トイレに関するものである。【解決手段】本発明の高さ調整可能な男子用トイレは、所定の角度で傾斜している尿受け具と、長さ調整が可能な給水管および排水管と、高さ方向にラック機構が設けられている内管と、前記内管をスライドする外管と、前記外管を上下に駆動する駆動機構と、前記駆動機構を制御する制御装置とから少なくとも構成されている。前記尿受け具は、内面を循環するように給水が掛けられて内部を洗浄する給水口と、排尿を受ける尿受部と、尿を排水する排水口とから構成されている。前記給水管および排水管は、内管によって覆われいるとともに、一部が固定されている。前記内管は、高さ方向にラック機構が設けられている。また、前記外管は、前記内管がスライドできる構造であるとともに、前記内管に設けられたラック機構とピニオン機構により、上下方向の運動となり、高さを調整することができる。【選択図】図１
2008291619.tif 000002
【特許請求の範囲】
【請求項１】
内面を循環するように給水が掛けられて内部を洗浄する給水口と、排尿を受ける尿受部と、前記尿を排出する排出口とを有するロート状で所定の角度で傾斜している尿受け具と、
前記給水口に接続され、長さ調整ができる給水管と、
前記排出口に接続され、長さ調整ができる排水管と、
前記給水管および排水管を覆っているとともに一部が固定され、高さ方向にラック機構が設けられている内管と、
前記内管に設けられたラック機構とスリットを介して高さを調整することができる外管と、
前記外管のスリットを介して前記ラック機構に係合し、回転運動を直線運動に変換するピニオン機構を備えた回転駆動機構と、
前記回転駆動機構を制御する制御装置と、
から少なくとも構成されていることを特徴とする高さ調整可能な男子用トイレ。
【請求項２】
前記尿受け具の高さは、フットスイッチの押し加減により調整されることを特徴とする請求項１に記載された高さ調整可能な男子用トイレ。
【請求項３】
前記尿受け具の高さは、人の股の高さを検出することにより自動的に調整されることを特徴とする請求項１に記載された高さ調整可能な男子用トイレ。
【請求項４】
内面を循環するように給水が掛けられて内部を洗浄する給水口と、排尿を受ける尿受部と、前記尿を排出する排出口とを有するロート状で所定の角度で傾斜している尿受け具と、
前記給水口に接続され、長さ調整ができる給水管と、
前記排出口に接続され、長さ調整ができる排水管と、
前記給水管および排水管を上下方向に駆動する駆動機構と、
人を検出すると同時に背丈を検出して尿受け具の高さを前記駆動機構により自動的に最適な高さに調整するように前記駆動機構を制御する制御装置と、
から少なくとも構成されていることを特徴とする高さ調整可能な男子用トイレ。
【請求項５】
内面を循環するように給水が掛けられて内部を洗浄する給水口と、排尿を受ける尿受部と、前記尿を排出する排出口とを有するロート状で所定の角度で傾斜している尿受け具と、
前記給水口に接続され、長さ調整ができる給水管と、
前記排出口に接続され、長さ調整ができる排水管と、
前記給水管および排水管を覆っているとともに一部が固定され、高さ方向にラック機構が設けられている内管と、
前記内管に設けられたラック機構とスリットを介して高さを調整することができる外管と、
前記外管のスリットを介して前記ラック機構に係合し、回転運動を直線運動に変換するピニオン機構を備えた回転駆動機構と、
人を検出すると同時に背丈を検出して尿受け具の高さを前記回転駆動機構により自動的に最適な高さに調整するように前記回転駆動機構を制御する制御装置と、
から少なくとも構成されていることを特徴とする高さ調整可能な男子用トイレ。
【請求項６】
前記尿受け具の高さは、使用者の手元を検出することにより決定されることを特徴とする請求項４または請求項５に記載された高さ調整可能な男子用トイレ。
【請求項７】
前記尿受け具の高さは、使用者の手元の動作を検出して決定されることを特徴とする請求項４から請求項６のいずれか１項に記載された高さ調整可能な男子用トイレ。
【請求項８】
前記尿受け具の高さは、使用者が検出されない場合、初期位置に戻されることを特徴とする請求項４から請求項７のいずれか１項に記載された高さ調整可能な男子用トイレ。
【請求項９】
前記尿受け具の駆動手段は、誤動作防止手段が設けられていることを特徴とする請求項４から請求項８のいずれか１項に記載された高さ調整可能な男子用トイレ。
【請求項１０】
人を検出することにより、高さ位置を検出するための検出手段が駆動されることを特徴とする請求項４から請求項９のいずれか１項に記載された高さ調整可能な男子用トイレ。
【請求項１１】
前記給水管と排水管は、合成樹脂製または金属製蛇腹管から構成されていることを特徴とする請求項１から請求項１０のいずれか１項に記載された高さ調整可能な男子用トイレ。
【請求項１２】
前記排水管は、上部が小径で下部が大径からなるスライド管であることを特徴とする請求項１から請求項１１のいずれか１項に記載された高さ調整可能な男子用トイレ。
【請求項１３】
前記尿受け具の蓋の開閉、高さ調整、給水の開始は、人を検出することにより開始し、人が検出されないことにより終了することを特徴とする請求項１から請求項１２のいずれか１項に記載された高さ調整可能な男子用トイレ。
【請求項１４】
前記尿受け具のロート状内面には、給水を循環するように流す螺旋状溝が設けられていることを特徴とする請求項１から請求項１３のいずれか１項に記載された高さ調整可能な男子用トイレ。
【請求項１５】
前記尿受け具は、二重に形成された間から給水が出て、尿とともに排水口から排水されることを特徴とする請求項１から請求項１４のいずれか１項に記載された高さ調整可能な男子用トイレ。
【請求項１６】
前記尿受け具は、ピニオン機構と、前記ピニオン機構に係合された支持部材のラック機構とによって上下方向に可動し、前記支持部材に係合している給水管および排水管が露出していることを特徴とする請求項１から請求項１５のいずれか１項に記載された高さ調整可能な男子用トイレ。
【発明の詳細な説明】
【技術分野】
【０００１】
本発明は、使用者の身長に合った高さ調整可能な男子用トイレに関するものである。高さ調整可能な男子用トイレは、排尿時における尿の飛散による便器周りまたは床や壁の汚れ、残尿の垂れ等を防止することができる。本発明は、大人または子供であっても、あるいは、背丈の異なる者であっても、最適な位置に尿受け具が調整されるため、周囲を汚さずに排尿が容易に行える高さ調整可能な男子用トイレに関するものである。
【背景技術】
【０００２】
実開平１−１３６５７０号公報に記載されている男性用放尿飛散防止パイプは、水溶性紙を材料としたテーパー状のパイプを排尿の際に補助器具として使用することにより、便器近傍へ尿が飛散するのを防止している。特開２００５−０６０９９７号公報に記載されている男子排尿飛散防止補助カバーは、小水の軌道を制御して便器内に収まるように雨樋のように誘導するものである。また、特開２０００−１０７０８８号公報に記載されている排尿補助具付便器は、カップ状受部を手に持ち、所定の位置で排尿を行うことができるとともに、前記カップ状受部で受けた尿を便器の側部にホースによって導くものである。
【０００３】
【特許文献１】実開平１−１３６５７０号公報
【特許文献２】特開２００５−０６０９９７号公報
【特許文献３】特開２０００−１０７０８８号公報
【発明の開示】
【発明が解決しようとする課題】
【０００４】
前記特許文献１から特許文献３に記載されている男子トイレ補助具は、使用者の手によって、局所に近づけ、尿を便器に誘導するために使用されている。前記男子トイレ補助具は、手で持つことが必須の要件になっているため、手に尿がかかるおそれがあり、不衛生であるという問題を有していた。また、前記男子トイレ補助具は、手で持たねばならないため、手に当たった尿が飛散する場合もあった。前記男子トイレ補助具は、いちいち手で高さ調整することが面倒であるため、必ずしも周囲が衛生的になるとは限らない。
【０００５】
以上のような課題を解決するために、本発明は、使用者の身長に合わせた高さのロート状で所定の角度で傾斜している尿受け具に向かって、排尿を行うことができる高さ調整可能な男子用トイレを提供することを目的とする。本発明は、便器または補助具に直接手を触れることなく、また、尿が周囲に飛散することのない高さ調整可能な男子用トイレを提供することを目的とする。男性は、排尿を行う場合、必ずズボンのチャックを外した後、局所をズボンの外に出してから排尿を行っている。本出願人は、前記排尿の際における手の動きに着目して、尿受け具を最適の高さに調整することができる高さ調整可能な男子用トイレを提供することを目的とする。
【課題を解決するための手段】
【０００６】
（第１発明）
第１発明の高さ調整可能な男子用トイレは、内面を循環するように給水が掛けられて内部を洗浄する給水口と、排尿を受ける尿受部と、前記尿を排出する排出口とを有するロート状で所定の角度で傾斜している尿受け具と、前記給水口に接続され、長さ調整ができる給水管と、前記排出口に接続され、長さ調整ができる排水管と、前記給水管および排水管を覆っているとともに一部が固定され、高さ方向にラック機構が設けられている内管と、前記内管に設けられたラック機構とスリットを介して高さを調整することができる外管と、前記外管のスリットを介して前記ラック機構に係合し、回転運動を直線運動に変換するピニオン機構を備えた回転駆動機構と、前記回転駆動機構を制御する制御装置とから少なくとも構成されていることを特徴とする。
【０００７】
（第２発明）
第２発明の高さ調整可能な男子用トイレにおいて、第１発明の尿受け具の高さは、フットスイッチの押し加減により調整されることを特徴とする。
【０００８】
（第３発明）
第３発明の高さ調整可能な男子用トイレにおいて、第１発明の尿受け具の高さは、人の股の高さを検出することにより自動的に調整されることを特徴とする。
【０００９】
（第４発明）
第４発明の高さ調整可能な男子用トイレは、内面を循環するように給水が掛けられて内部を洗浄する給水口と、排尿を受ける尿受部と、前記尿を排出する排出口とを有するロート状で所定の角度で傾斜している尿受け具と、前記給水口に接続され、長さ調整ができる給水管と、前記排出口に接続され、長さ調整ができる排水管と、前記給水管および排水管を上下方向に駆動する駆動機構と、人を検出すると同時に背丈を検出して尿受け具の高さを前記駆動機構により自動的に最適な高さに調整するように前記駆動機構を制御する制御装置とから少なくとも構成されていることを特徴とする。
【００１０】
（第５発明）
第５発明の高さ調整可能な男子用トイレは、内面を循環するように給水が掛けられて内部を洗浄する給水口と、排尿を受ける尿受部と、前記尿を排出する排出口とを有するロート状で所定の角度で傾斜している尿受け具と、前記給水口に接続され、長さ調整ができる給水管と、前記排出口に接続され、長さ調整ができる排水管と、前記給水管および排水管を覆っているとともに一部が固定され、高さ方向にラック機構が設けられている内管と、前記内管に設けられたラック機構とスリットを介して高さを調整することができる外管と、前記外管のスリットを介して前記ラック機構に係合し、回転運動を直線運動に変換するピニオン機構を備えた回転駆動機構と、人を検出すると同時に背丈を検出して尿受け具の高さを前記回転駆動機構により自動的に最適な高さに調整するように前記回転駆動機構を制御する制御装置とから少なくとも構成されていることを特徴とする。
【００１１】
（第６発明）
第６発明の高さ調整可能な男子用トイレにおいて、第４発明または第５発明の尿受け具の高さは、使用者の手元を検出することにより決定されることを特徴とする。
【００１２】
（第７発明）
第７発明の高さ調整可能な男子用トイレにおいて、第４発明から第６発明の尿受け具の高さは、使用者の手元の動作を検出して決定されることを特徴とする。
【００１３】
（第８発明）
第８発明の高さ調整可能な男子用トイレにおいて、第４発明から第７発明の尿受け具の高さは、使用者が検出されない場合、初期位置に戻されることを特徴とする。
【００１４】
（第９発明）
第９発明の高さ調整可能な男子用トイレにおいて、第４発明から第８発明の尿受け具の駆動手段は、誤動作防止手段が設けられていることを特徴とする。
【００１５】
（第１０発明）
第１０発明の高さ調整可能な男子用トイレは、第４発明から第９発明において、人を検出することにより、高さ位置を検出するための検出手段が駆動されることを特徴とする。
【００１６】
（第１１発明）
第１１発明の高さ調整可能な男子用トイレにおいて、第１発明から第１０発明の給水管と排水管は、合成樹脂製または金属製蛇腹管から構成されていることを特徴とする。
【００１７】
（第１２発明）
第１２発明の高さ調整可能な男子用トイレにおいて、第１発明から第１１発明の排水管は、上部が小径で下部が大径からなるスライド管であることを特徴とする。
【００１８】
（第１３発明）
第１３発明の高さ調整可能な男子用トイレにおいて、第１発明から第１２発明の尿受け具の蓋の開閉、高さ調整、給水の開始は、人を検出することにより開始し、人が検出されないことにより終了することを特徴とする。
【００１９】
（第１４発明）
第１４発明の高さ調整可能な男子用トイレにおいて、第１発明から第１３発明の尿受け具のロート状内面には、給水を循環するように流す螺旋状溝が設けられていることを特徴とする。
【００２０】
（第１５発明）
第１５発明の高さ調整可能な男子用トイレにおいて、第１発明から第１４発明の尿受け具は、二重に形成された間から給水が出て、尿とともに排水口から排水されることを特徴とする。
【００２１】
（第１６発明）
第１６発明の高さ調整可能な男子用トイレにおいな、第１発明から第１５発明の尿受け具は、ピニオン機構と、前記ピニオン機構に係合された支持部材のラック機構とによって上下方向に可動し、前記支持部材に係合している給水管および排水管が露出していることを特徴とする。
【発明の効果】
【００２２】
本発明によれば、尿受け具が使用者の最適な高さと最短距離に自動的に移動された後に、排尿が行われるため、周囲に尿を飛散させることがなく、清潔なトイレとなるだけでなく、便器が小型であるため、安価で量産向きの豪華なホテル、家庭用、または公衆トイレのいずれにも適している。
【００２３】
本発明によれば、使用者が直接便器に手を触れることがないため、多人数が使用する公衆トイレであっても衛生的である。
【００２４】
本発明によれば、使用者が局所をつまんだ手の位置をセンサにより検出し、使用者に合った最適の高さに自動的に調整されるため、使用者が男子用トイレの一部に手を触れることがないく、容易に排尿ができ、衛生的である。
【００２５】
本発明によれば、人の股の高さまたは手元をセンサにより検出し、使用者に合った所定の高さに自動的に調整されるため、使用者が男子用トイレの一部に手を触れることがないため衛生的である。
【００２６】
本発明によれば、所定の角度で傾斜している尿受け具に洗浄水が旋回するような構成にしてあるため、前記尿受け具内で、尿あるいは給水が飛散して外部に漏れることがなく、かつ、内部を常に清潔に保つことができる。
【発明を実施するための最良の形態】
【００２７】
（第１発明）
第１発明の高さ調整可能な男子用トイレは、所定の角度で傾斜している尿受け具と、長さ調整が可能な給水管および排水管と、高さ方向にラック機構が設けられている内管と、前記内管をスライドする外管と、前記外管を上下に駆動する駆動機構と、前記駆動機構を制御する制御装置とから少なくとも構成されている。前記尿受け具は、内面を循環するように給水が掛けられて内部を洗浄する給水口と、排尿を受ける尿受部と、尿を排水する排水口とから構成されている。
【００２８】
前記給水管は、水道水に連設された前記給水口に接続され、長さが調整できるようになっている。同様に、前記排水管は、排水口から下水に連設され、長さが調整できるようになっている。前記給水管および排水管の材質は、合成樹脂製または金属製とすることができる。前記給水管は、長さ調整が可能な可撓性のパイプ状のものとする。
【００２９】
前記給水管および排水管は、内管によって覆われているとともに、一部が固定されている。前記内管は、高さ方向にラック機構が設けられている。また、前記外管は、前記内管がスライドできる構造であるとともに、前記内管に設けられたラック機構が露出するように、スリットが設けられている。
【００３０】
前記回転駆動機構は、たとえば、モータの回転を直線運動に変換するためのピニオン機構を備えており、前記外管のスリットを介して、前記ラック機構と係合されている。なお、前記内管または外管を省略することもできる。前記モータの回転は、ピニオン機構およびラック機構により、上下方向の運動となり、高さを調整することができる。前記制御装置は、回転駆動機構を、センサまたはフットスイッチ等により制御して、使用者の所望の高さに尿受け具を調整することができる。前記回転駆動機構は、たとえば、ラック機構とピニオン機構の代わりに、リニアモータを使用することができる。
【００３１】
本発明の高さ調整可能な男子用トイレは、使用者の最適な高さと、最短距離で排尿が行われるため、周囲に尿を飛散させることがなく、清潔なトイレとなる。また、本発明の高さ調整可能な男子用トイレは、家庭用、公衆トイレ、あるいは豪華な場所にも設けることができる。
【００３２】
（第２発明）
第２発明の高さ調整可能な男子用トイレにおいて、第１発明の尿受け具は、フットスイッチを押す回数を加減することにより、高さが調整され、使用者の最適な高さと最短距離になる。前記高さ調整は、電気的駆動以外に重力とバネ等を使用して上げ下げができるようにすることができる。
【００３３】
（第３発明）
第３発明の高さ調整可能な男子用トイレにおいて、第１発明または第２発明の尿受け具の高さは、人の股の高さを、たとえば、赤外線センサにより検出し、使用者の背丈に合った所定の高さで、最短距離に自動的に調整される。第３発明は、使用者が男子用トイレの一部に手を触れることなく、何もせずに前記尿受け具を最適の高さと最短距離に移動することができる。前記赤外線センサおよび高さ調整のための電源は、停電に備えて蓄電池等を設けることができる。
【００３４】
（第４発明）
第４発明の高さ調整可能な男子用トイレは、内管または外管が設けられていない点、給水管および排水管を上下方向に駆動する駆動機構が特定されていない点、および高さ調整可能な制御装置が異なる点で、第１発明と異なっている。前記駆動機構は、公知または周知の機構であれば、特に限定されず、多くの機構を採用することができる。前記制御装置は、人を検出すると同時に背丈を検出して尿受け具の高さを前記駆動機構により自動的に最適な高さに調整している。前記高さ調整は、複数組の光センサまたは赤外線センサによって行うことができる。
【００３５】
（第５発明）
第５発明の高さ調整可能な男子用トイレは、第１発明と第４発明とを混合したものである。本発明は、家庭用、ホテル、公衆トイレのいずれにも適用できるようになっている。すなわち、本発明は、簡易型、豪華型、中間のもの等、設置場所や目的等によって変形させることができる。
【００３６】
（第６発明）
第６発明における尿受け具の高さは、使用者の手元に着目して、その位置を検出することにより決定される。排尿は、男性の場合、必ず手によって、ズボンを前を開けること、および局所をつまんで所定方向に向けること、が必須の要件になっている。本出願人は、前記必須の要件に着目し、手の位置により使用者の局所の位置を検出している。
【００３７】
（第７発明）
第７発明における尿受け具の高さは、使用者の手元の動作を検出することにより、より正確に高さが決定される。使用者には、バンドを緩めまたは外してから、チャックをゆっくり下ろす場合、いきなり、チャックを下方に向けて下ろす場合、その他癖のある手つきをする場合等がある。たとえば、手元の位置は、チャックを下に下げた場合、バンドをつかんだ場合、あるいは、局所をつかんだ場合により多少異なっている。第７発明は、局所をつかんだ手元の位置、すなわち、局所を前に突き出した位置を検出することにより、より正確に位置が検出される。
【００３８】
（第８発明）
第８発明の高さ調整可能な男子用トイレは、使用者の排尿が終了した場合、たとえば、光センサまたは赤外線センサにより、使用者がいなくなったことを検出して、尿受け具の高さを初期位置、たとえば、最下部に戻す。すなわち、第８発明の高さ調整可能な男子用トイレは、必ず下方から所定位置に向かって上昇するようにして、いつも同じ状態で、違和感を持たせないようになっている。
【００３９】
（第９発明）
第９発明の高さ調整可能な男子用トイレは、尿受け具の駆動手段に誤動作防止手段が設けられている。前記誤動作防止手段は、前記センサの検出具合によってチャタリングを起こさないように所定位置で停止するようにする。また、前記高さ調整可能な男子用トイレは、何らかの原因により、所望の高さにならない場合、すなわち、ミスマッチの場合、排尿がたせないことになる。このような場合、前記高さ調整可能な男子用トイレは、トイレに対する接近（始め）からやり直すようにアナウンスするようになっている。
【００４０】
（第１０発明）
第１０発明の高さ調整可能な男子用トイレは、人を検出した後に、高さ位置を検出するための検出手段が駆動される。前記高さ調整可能な男子用トイレは、高さ位置を検出するために、複数組のセンサが必要であるため、人を検出して始めて位置検出用センサの電源が入るようにして、省エネルギー化を図っている。前記センサは、光または赤外線を出力するものと、前記光または赤外線を受けるものとが一対になっている。
【００４１】
（第１１発明）
第１１発明の高さ調整可能な男子用トイレにおいて、第１発明から第１０発明の給水管と排水管は、合成樹脂製または金属製蛇腹管を採用することができる。前記合成樹脂製または金属製蛇腹管は、既製品があり、高さ調整を繰り返しても、損傷されることがない。
【００４２】
（第１２発明）
第１２発明の高さ調整可能な男子用トイレにおいて、第１発明から第１１発明の排水管は、上部が小径で下部が大径からなるスライド管とすることができる。排水管は、前記排水管を逆流して上部に上がることがないため、スライド管とすることができる。
【００４３】
（第１３発明）
第１３発明の高さ調整可能な男子用トイレは、第１発明から第１２発明の尿受け具の高さ調整以外に、尿受け具の蓋の開閉、給水の開始・終了を、人の有無を検出することにより自動的に行えるようにしている。
【００４４】
（第１４発明）
第１４発明の高さ調整可能な男子用トイレは、第１発明から第１３発明の前記尿受け具のロート状内面に給水が循環し易いように流す螺旋状溝が設けられている。前記螺旋状溝は、前記給水口からの水の噴射力を調整しておくことにより、内部の水が飛散して外部に漏れることがなく、かつ、内部を清潔に清掃することができる。
【００４５】
（第１５発明）
第１５発明の高さ調整可能な男子用トイレは、第１発明から第１４発明の尿受け具の形状が異なっている。前記尿受け具は、周囲が二重に形成されており、給水管からの給水が前記二重になった間から出る。前記給水は、前記尿受け具の内部に拡散されながら、尿とともに排水口から排水される。
【００４６】
（第１６発明）
第１６発明の高さ調整可能な男子用トイレは、第１発明から第１５発明の尿受け具の可動機構が異なっている。前記尿受け具は、支持部材によって支持されているとともに、給水管および排水管が露出している。前記支持部材は、ラック機構が設けられており、前記ラック機構に係合するピニオン機構の回転により、上下方向に可動する。
【実施例１】
【００４７】
図１は本発明の実施例で、使用者が排尿をたしている際の高さ調整可能な男子用トイレを説明するための概略図である。図１において、高さ調整可能な男子用トイレ１０は、尿受け具１１と、前記尿受け具１１に連設された内管１２と、前記内管１２を覆う外管１３と、前記外管１３を固定する固定部１４と、前記内管１２の高さを調整する駆動機構１５と、前記内管１２および外管１３の内部を通り前記尿受け具１１に通ずる水道管１６および排水管１６１と、前記駆動機構を動作させるフットスイッチ１８とから少なくとも構成されている。前記尿受け具１１は、傾斜角度および大きさは、使用する場所等によって任意に変えることができる。
【００４８】
センサ、たとえば、光センサまたは赤外線センサ１７１、１７２、・・・は、高さ方向に所定の間隔で複数個が壁１７に設けられている。前記赤外線センサ１７１、１７２、・・・は、使用者の股の高さを検出することができるため、前記フットスイッチ１８が押された際に、高さが検出され、駆動機構１５により、前記内管１２の高さを調整することができる。また、前記内管１２の上部は、尿を出し易い角度に曲げられている。必要に応じて、前記尿受け具１１に設けられた蓋（図示されていない）は、前記フットスイッチ１８により前記内管１２の高さ調整と連動して開くようにすることもできる。また、前記高さ調整可能な男子用トイレは、前記センサをなくして、フットスイッチ１８のみによって高さ調整をできるようにすることもできる。前記高さ調整可能な男子用トイレは、高さ調整機構が簡単であるため、安価なものとすることができる。
【００４９】
使用者１９は、前記高さ調整可能な男子用トイレ１０の前に立ち、フットスイッチ１８または前記フットスイッチなしで、自動的に所望の高さになった後、尿受け具１１内に向かって排尿する。前記尿受け具１１は、たとえば、前記尿を受けると同時に、水道管１６から給水され、前記尿とともに排水管１６１から排水される。前記水道管１６からの給水は、前記センサまたはフットスイッチによる信号と連動させることができる。前記高さ調整可能な男子用トイレは、使用者１９の背丈検出、尿の排水管１６１への排出、尿受け具１１の洗浄等を自動的に行うように制御手段で処理することができる。
【００５０】
図２は本発明の実施例で、図１における高さ調整可能な男子用トイレの拡大図である。図３は本発明の実施例で、高さ調整可能な男子用トイレの内管と外管およびその近傍の拡大図である。図２および図３において、内管１２は、外管１３の内部をスライド自在に上下できる構造になっている。また、前記内管１２は、上部で固定部１２３に固定されているとともに、側部の少なくとも一部にラック機構１５２が設けられている。
【００５１】
前記外管１３は、側部にスリット（図示されていない）が設けられており、前記スリットを介して、ピニオン機構１５１が前記ラック機構１５２に係合されている。前記ピニオン機構１５１は、モータ１５３の回転軸１５４に接続されている。前記モータ１５３の回転は、前記ピニオン機構１５１およびラック機構１５２を介して前記内管１２が上下に移動し、尿受け具１１の高さを調整することができる。なお、前記モータ１５３と、ピニオン機構１５１およびラック機構１５２等からなる駆動機構１５は、ケースによって保護されている。
【００５２】
前記内管１２および外管１３の内部には、たとえば、可撓性の蛇腹からなる金属製または合成樹脂製の給水管１２１と排水管１２２が導通している。前記排水管１２２は、蛇腹管以外に、内管と外管をスライドさせることも可能である。前記給水管１２１と排水管１２２は、上部で固定部１２３に固定されているとともに、さらに、先端部が給水口１１２および排水口１１４に繋がっている。また、給水管１２１は、水道管１６に、排水管１２２は、排水管１６１にそれぞれ接続されている。
【００５３】
前記尿受け具１１は、給水管１１１が上部のフィン１１２の下部に沿って設けられ、前記給水管１１１から前記排水口１１４を介して放水される際に、旋回水１１３となって、内部が洗浄される。前記尿受け具１１は、大きさおよび形状、傾斜角度、洗浄機構は、周知のものを適用できる。
【００５４】
図４は本発明の実施例で、高さ調整可能な男子用トイレにおける尿受け具の拡大図である。図１および図２において、尿受け具１１は、作図の関係から小振りに描かれている。図４における尿受け具１１は、角度を付けずに水平になっているが、傾斜を持たせたり、あるいは、一方を高く、他方を低くした公知の形状のものとすることができる。給水管１１１は、前記尿受け具１１の上部に配置され、前記尿受け具１１の上部におけるフィン１１２の内壁面に沿って放水されながら内部を旋回しながら洗浄する。また、前記給水管１１１は、尿受け具１１の内面に沿って設けられているが、前記尿受け具１１を二重にして、その内部に入れることもできる。なお、前記排水口１１４は、給水管１１１と比較して太くなっているとともに、大きなゴミを流さないようにするストレーナ１１５が設けられている。
【実施例２】
【００５５】
図５は本発明の第２実施例で、高さ調整可能な男子用トイレにおける尿受け具を説明するための図である。図５において、尿受け具５１は、外側の器５１１と、内側の器５１２が二重になっている。前記外側の器５１１と、内側の器５１２との間は、給水溝５１３が形成され、給水が前記尿受け具５１の先端部に設けられたフィン５１４を旋回し、尿受け具５１の内部を洗浄しながら放水される。前記尿受け具５１の排水口は、排水管１２２に接続されている。
【００５６】
前記給水管１２１および排水管１２２は、可撓性部材からなり、支持部材５２に取り付けられている。前記支持部材５２は、ラック機構１５２が設けられている。壁１７に取り付けられているモータ１５は、回転することにより、ピニオン機構１５１と係合するラック機構１５２が上下に移動し、高さ調整可能な男子用トイレ５０の尿受け具５１が上下に動く。なお、前記支持部材は、垂直になっているが、人に向かう方向に上昇させることもできる。
【実施例３】
【００５７】
図６（イ）および（ロ）は本発明の第３実施例で、使用者の手の位置により背丈に応じた局所の位置を検出して、尿受け具の高さを調整することができる高さ調整可能な男子用トイレを説明するための図である。図６（イ）および（ロ）において、尿受け具１１は、前壁６１と、左右に設けられた側壁６２、６２′によっ囲まれている。前記側壁６２、６２′の幅は、３００ｍｍ程度であり、さらに、広くまたは狭くすることもできる。前記前壁６１には、高さ調整可能な男子用トイレの前に人がいるか否かを検出するセンサ６１１が設けられている。前記側壁６２、６２′の両側には、使用者の局所位置を検出するための光または赤外線センサの出力部６２１と受信部６２１′とが多数組設けられている。
【００５８】
前記尿受け具１１の高さは、たとえば、３５０ｍｍから９００ｍｍ程度を移動できるようにする。使用者は、前記高さ調整可能な男子用トイレの前に立つことにより、前壁６１に取り付けられているセンサが人を検出して、前記側壁６２、６２に設けられているセンサの電源が投入されるようにする。前記側壁６２、６２に設けられているセンサは、６２１−１、６２１−２、・・・、６２１−ｎ個が高さ方向に所定の間隔に配置されている。前記センサは、たとえば、局所をつまんでいる手の位置を検出し、前記尿受け具１１が排尿に最適な高さに移動できるように制御手段（図示されていない）に情報を送る。また、前記尿受け具１１は、第１実施例から第３実施例において、全部が前壁６１から出るように描かれているが、１／２程度を前記前壁６１の内部に埋め込むこともできる。
【実施例４】
【００５９】
図７は本発明の第４実施例で、尿受け具の高さを調整するためのブロック構成図の一例を説明するための図である。図７において、高さ調整可能な男子用トイレは、たとえば、人検出手段７１１と、位置検出装置駆動手段７１２と、手元検出手段７１３と、手元動作記憶手段７１４と、高さ決定手段７１５と、高さ駆動制御手段７１６と、駆動手段７１７と、初期位置記憶手段７１８と、誤動作防止手段７１９と、全体のブロックを制御する制御手段７２０とから少なくとも構成されている。
【００６０】
前記人検出手段７１１は、排尿のために所定位置に人が来ているか否かを検出するものである。前記位置検出装置駆動手段７１２は、局所をつまんだ手元の位置を検出するための位置検出装置を駆動するための手段である。前記位置検出装置駆動手段７１２は、人がいない場合、複数組のセンサからなる手元検出手段７１３に電源が投入されず、駆動しないようにして、省エネルギーを図っている。前記手元検出手段７１３は、局所近辺の手元により、使用者の背丈、特に、局所の位置を検出している。
【００６１】
前記手元動作記憶手段７１４は、手元がバンドを外しまたは緩めている位置情報、チャックを下に下げる情報、手が局所をつかんでいる情報を位置情報として記憶している。前記情報は、人により癖があるものの、左右の動きまたは上下の動きからなる一定の動きとなっている。しかし、排尿の際の手の動きは、局所をつまみ、前方に突き出しており、前記動作と明らかに区別できるようになっている。前記高さ決定手段７１５は、前記手元検出手段７１３と手元動作記憶手段７１４の情報とにより、手が局所をつまみ、前に突き出した位置を検出している。前記高さ駆動制御手段７１６は、前記高さ決定手段７１５に決定された位置に前記尿受け具が移動するように制御している。
【００６２】
前記駆動手段７１７は、前記高さ駆動制御手段７１６の制御のもとに、前記入受け具を使用者の背丈に合わせて移動させる。前記高さ調整可能な男子用トイレは、排尿が終了した場合、人検出手段７１１により、人がいないことを検出した場合、前記尿受け具の初期位置、たとえば、最低位置に前記高さ駆動制御手段７１６によって移動させる。前記初期位置は、必ずしも最低位置にする必要がないが、いつも同じ位置である初期位置に戻しておくことが、使用者にとって使用し易い。
【００６３】
前記誤動作防止手段７１９は、使用者の手元を検出するセンサにより、チャタリングを起こし、上下方向に移動を繰り返すのを防止するものである。すなわち、前記誤動作防止手段７１９は、検出された位置に移動させるために多少の時間遅れをもせるようにしている。なお、制御手段７２０は、前記ブロックおよび前記高さ調整可能な男子用トイレの全体を制御している。
【実施例５】
【００６４】
図８は本発明の第５実施例で、尿受け具の高さを調整するためのフローチャートの一例を説明するための図である。図８において、制御手段７２０は、人検出手段７１１に電源が投入されることにより、高さ調整可能な男子用トイレの使用が可能になる（ステップ８１１）。前記制御手段７２０は、前記高さ調整可能な男子用トイレの前に人がいるか否かを調べる（ステップ８１２）。
【００６５】
前記制御手段７２０は、人がいないと判断した場合、常に人が検出できるように待機している。前記制御手段７２０は、人がいると判断した場合、位置検出装置駆動手段７１２により、手元の位置を検出するセンサの電源を投入する（ステップ８１３）。
【００６６】
前記制御手段７２０は、前記センサによって手元の位置を検出したか否かを調べる続ける（ステップ８１４）。前記制御手段７２０は、手元の位置を検出したと判断した場合、前記手元の位置が正しいか否かを調べる（ステップ８１５）。前記制御手段７２０は、前記手元の位置が正しいか否かが不明の場合、ステップ８１４に戻り、手元の位置を検出し直す。
【００６７】
前記制御手段７２０は、手元の動きが正しいと判断した場合、その位置が排尿の位置として高さ決定手段７１５により決定する（ステップ８１６）。前記高さ位置の決定は、前記制御手段７２０により、手元動作記憶手段７１４に記憶されている情報を参照する。前記制御手段７２０は、前記決定された高さ位置に尿受け具１１を移動させるように、高さ駆動制御手段７１６に指令する（ステップ８１７）。
【００６８】
前記制御手段７２０は、使用者の排尿が終了したか否かを人の有無により調べる（ステップ８１８）。前記制御手段７２０は、トイレの前に人がいると判断した場合、高さ駆動制御手段７１６をそのままにする（ステップ８１９）。前記制御手段７２０は、トイレの前に人がいないと判断した場合、予め記憶されている初期位置に戻すように高さ駆動制御手段７１６に指令する（ステップ８２０）。前記制御手段７２０は、トイレの前に人がいないと判断した場合、次に、位置検出装置の電源を切断して（ステップ８２１）省エネルギーを図る。
【００６９】
また、制御手段７２０は、トイレの前に人がいると判断したにもかかわらず、手の位置が検出されない場合、メッセージまたは音声により、正しい所定の位置に付くように、使用者に注意を喚起することができる。さらに、本発明は、尿受け具の縁を拭くことができる装置を備えることができる。たとえば、前記装置は、トイレットペーパーが一方のロールから他方に設けられた巻取ロールに向かって、モータ等により移動できるようにする。前記一方のロールおよび巻取ロールは、ペーパーを前記尿受け具の縁に沿って押し付けながら移動できるように湾曲させるためのプーリー等を設けることができる。
【００７０】
以上、本発明の実施例を詳述したが、本発明は、前記実施例に限定されるものではない。そして、本発明は、特許請求の範囲に記載された事項を逸脱することがなければ、種々の設計変更を行うことが可能である。本実施例における駆動機構および制御は、公知または周知の技術によって達成することができる。また、本実施例の高さ調整可能な男子用トイレを構成する材質は、同様に、公知または周知の材料を使用することができる。
【００７１】
本実施例における駆動機構および制御装置は、電気的に行うこと（停電時に蓄電設備を使用）を前提に説明したが、重力およびバネ等を使用した機械的制御により行うこともできる。本実施例の尿受け具の材質、形状および大きさは、全体のデザインを考慮して、任意に変形することができる。また、図７に示されたブロックは、公知または周知の手段によって達成できるものである。本発明の第１実施例から第５実施例は、一部を組み換えた高さ調整可能な男子用トイレとすることができる。
【図面の簡単な説明】
【００７２】
【図１】本発明の実施例で、使用者が排尿をたしている際の高さ調整可能な男子用トイレを説明するための概略図である。（実施例１）
【図２】本発明の実施例で、図１における高さ調整可能な男子用トイレの拡大図である。
【図３】本発明の実施例で、高さ調整可能な男子用トイレの内管と外管およびその近傍の拡大図である。
【図４】本発明の実施例で、高さ調整可能な男子用トイレにおける尿受け具の拡大図である。
【図５】本発明の第２実施例で、高さ調整可能な男子用トイレにおける尿受け具を説明するための図である。（実施例２）
【図６】（イ）および（ロ）は本発明の第３実施例で、使用者の手の位置により背丈に応じた局所の位置を検出して、尿受け具の高さを調整することができる高さ調整可能な男子用トイレを説明するための図である。（実施例３）
【図７】本発明の第４実施例で、尿受け具の高さを調整するためのブロック構成図の一例を説明するための図である。（実施例４）
【図８】本発明の第５実施例で、尿受け具の高さを調整するためのフローチャートの一例を説明するための図である。（実施例５）
【符号の説明】
【００７３】
１０・・・高さ調整可能な男子用トイレ
１１・・・尿受け具
１１１・・・給水管
１１２・・・フィン
１１３・・・旋回水
１１４・・・排水口
１２・・・内管
１２１・・・給水管
１２２、１６１・・・排水管
１２３・・・固定部
１３・・・外管
１４・・・固定部
１５・・・駆動機構
１５１・・・ピニオン機構
１５２・・・ラック機構
１５３・・・モータ
１５４・・・回転軸
１６・・・水道管
１６１・・・排水管
１７・・・壁
１７１、１７２、・・・赤外線センサ
１８・・・フットスイッチ
１９・・・使用者
５０・・・高さ調整可能な男子用トイレ
５１・・・尿受け具
５１１・・・外側の器
５２２・・・内側の器
５２・・・支持部材
【図１】
2008291619.tif 000003
【図２】
2008291619.tif 000004
【図３】
2008291619.tif 000005
【図４】
2008291619.tif 000006
【図５】
2008291619.tif 000007
【図６】
2008291619.tif 000008
【図７】
2008291619.tif 000009
【図８】
2008291619.tif 000010